(57)【特許請求の範囲】
【請求項１】
適宜間隔をおいて立設された支柱の頂部に天板の下面に固着された天板受けを枢支することにより該天板を前記支柱に対し水平状態から垂直状態に回動可能とした折畳みテーブルにおいて、前記天板の前端部に固設の支持部と目隠しパネルの上下方向略中央位置に固設の支持部とを旋回継手により連結し、前記目隠しパネルの旋回継手の支持部、および目隠しパネルの下方位置に固設の支持部と前記支柱とをそれぞれリンクにより連結してなり、前記天板を水平状態としたとき前記目隠しパネルの上部が天板上面より所要高さ上方に突出しておかれ、天板を垂直姿勢に折畳んだとき目隠しパネルが天板に重なって垂直姿勢におかれるようにしたことを特徴とする折畳みテーブル。
【発明の詳細な説明】
【０００１】
【発明の属する技術分野】
本発明は折畳みテーブルに係り、特に天板の前方に目隠し用パネルを備えた折畳みテーブルに関する。
【０００２】
【従来の技術】
折畳みテーブルの従来技術として先に本件出願人の出願に係るものとして実開平７−１８２６号公報（実願平５−３２３８９号）がある。
【０００３】
この折畳みテーブルの構造は、図５に示すように下面にキャスタｂを備えた一対の脚ａの上面に支柱ｃをそれぞれ立設して、その支柱ｃの頂部に天板ｄの裏面に設けた天板受けｅをピン等により回動自在に連結したもので、使用時、天板ｄを支柱ｃに対して水平状態に起こしてテーブルとなし、不使用時においては図６に示すように天板ｄを支柱ｃに沿うように折畳むことにより場所を取らずに保管することができるというものである。しかも多数の同じ型の折畳みテーブルを各キャスタｂの間に互い違いに接近させて置くことにより広い場所を取らずに多数保管することができる利点を有するものである。なお図中ｆは操作レバーを示す。
【０００４】
【発明が解決しようとする課題】
しかしながら上記の技術においては、２つの折畳みテーブルを向かい合わせで使用するとき、テーブル面には前方を隠すパネルがないために互いにテーブル上で仕事をしている内容が対面者から丸見えとなってしまい、特に人に見せたくないような手元の書類等の場合でも隠すことができないという欠点がある。
【０００５】
また、閲覧用としてのパネル付きテーブルには、テーブルに固定されているパネル、あるいはテーブル同士に挟まれて立てたパネルによるものもあるが、これは移設や折畳み等ができないものであった。
【０００６】
【課題を解決するための手段】
本発明は対面者があっても互いに気兼ねすることなく仕事や書類の閲欄等が行えるようにした折畳みテーブルを提供することを課題としたもので、その解決手段としては、従来の折畳み機能に加え、目隠しパネルを天板の前部に設け、天板の折畳み時には該パネルを天板に重ねて格納することで保管スペースの節減を図るようにしたものである。
【０００７】
すなわち、適宜間隔をおいて立設された支柱の頂部に天板の下面に固着された天板受けを枢支することにより該天板を前記支柱に対し水平状態から垂直状態に回動可能とした折畳みテーブルにおいて、前記天板の前端部に固設の支持部と目隠しパネルの上下方向略中央位置に固設の支持部とを旋回継手により連結し、前記目隠しパネルの旋回継手の支持部、および目隠しパネルの下方位置に固設の支持部と前記支柱とをそれぞれリンクにより連結してなり、前記天板を水平状態としたとき前記目隠しパネルの上部が天板上面より所要高さ上方に突出しておかれ、天板を垂直姿勢に折畳んだとき目隠しパネルが天板に重なって垂直姿勢におかれるようにしたものである。
【０００８】
【発明の実施の形態】
以下、本発明を図１乃至図３に示す実施の形態を参照して説明する。
【０００９】
図１は本発明による折畳みテーブルの天板１を水平にして目隠しパネル２が天板１の前方に立ち上がった状態の側面を示し、図２は同天板１を垂直にして目隠しパネル２と共に折畳んだ状態の側面を示している。
【００１０】
図１において、適宜間隔をおいて設置される左右の脚３，３の上面にはそれぞれ支柱４，４が立設されており、各支柱４，４の頂部には天板１の下面に固着された天板受け５がピン６により枢支され、このピン６を中心に天板１が前記支柱４に対し回動可能となっている。
【００１１】
前記目隠しパネル２は、前記天板１と略等しい横幅を有する板材からなっている。
【００１２】
前記天板１の前端部下面には金属板からなる支持部７が固設され、この支持部７の端部の水平方向に延びる長孔状の支持孔８（図３示）にＬ形状をなす旋回継手９の一端がピン１０により枢支され、この旋回継手９の他端は目隠しパネル２の上下方向略中央位置に固設された金属板からなる支持部１１にピン１２により枢支されていて天板１に目隠しパネル２が連結されている。
【００１３】
上記目隠しパネル２の前記支持部１１と、目隠しパネル２の下端近くに設けられた支持部１３とにリンク１４，１５の一端がピン１２，１６（ピン１２は前記リンク１４の枢支点と同軸）によりそれぞれ上下方向揺動自在に枢着され、これらリンク１４，１５の他端は前記支柱４の側面にピン１７，１８により枢着されていて平行四辺形リンクが構成されている。なお符号１９は棚板、３ａはキャスタを示す。
【００１４】
前記天板１の起伏構成は、前記の実開平７−１８２６号公報と同じ構造を採用することができる。念のためその具体的構造を説明すると、図４に示すように天板受け５の内部には左右の天板受け５，５を連結する連結杆２１が回動可能に設けられ、この連結杆２１の内側には別体の係止フック２２が固着されている。係止フック２２には一端部に溝２３があって、この溝２３は支柱４のピン６の近傍で上下に設けられた係止ピン２４，２５の何れかに係合するようになっている。また係止フック２２を常時係止ピン２４，２５の何れかに係合させておくために連結杆２１の回りにはコイルバネ２６が設けられている。
【００１５】
そして操作レバー２０と係止フック２２との間には連結部材２７が設けてあり、したがって操作レバー２０を矢印方向に回転させると、連結部材２７を介して係止フック２２がコイルバネ２６に抗して連結杆２１を中心として矢印方向に回転するため係止フック２２の溝２３は係止ピン２４から外れて非係合状態となる。
【００１６】
これによりテーブルの使用状態の水平姿勢にある天板３を垂直姿勢に折畳むには、操作レバー２０を矢印方向に回転させて係止フック２２の溝２３の係止ピン２４を外すと、天板１はピン６の回りに回転が自由となり、１点鎖線の状態を経て２点鎖線の垂直姿勢となる。この状態では係止フック２２の溝２３が係止ピン２５と係合するので天板は３’の位置、操作レバーは２０’の位置でそれぞれ固定される。
【００１７】
また垂直姿勢から水平姿勢である使用状態にするにはこの逆の操作を行えばよい。
【００１８】
上記のようにして天板１を水平状態とすると、旋回継手９を介して目隠しパネル２が上方に引き上げられる。このとき目隠しパネル２は支柱４にリンク１４，１５により連結されているので垂直姿勢のまま上昇し、図３に実線で示すように目隠しパネル２の上端が天板１の前方上部に突出した状態になる。これにより天板１の前方は目隠しパネル２で覆われ、対面者の目線をさえ切ることができる目隠し付きのテーブルとなる。
【００１９】
天板１を前記のように垂直姿勢に折畳むと、目隠しパネル２も垂直姿勢のまま下降し、その上半部が天板１に密着して図３に鎖線で示すように支柱４にそった状態に格納される。
【００２０】
【発明の効果】
以上説明した本発明によれば、下記のような効果を奏する。
【００２１】
１）会議用テーブルや講義用テーブルにおいて、使用者は天板面上の手元の書類等が目隠しパネルにより対面者から見られないように隠すことができる。
【００２２】
２）図書館等の閲覧用テーブルに用いた場合、対面者との仕切りとしての目隠しパネルがあるために、対面者を意識することなくテーブル上での作業に集中することができる。
【００２３】
３）会議や講義その他に使用しない場合には、天板を折畳むと目隠しパネルも連動して天板に密着した状態に収納されるので、テーブルを収納するに要するスペースを節減することができる。
【図面の簡単な説明】
【図１】本発明にかかる折畳みテーブルの一実施形態の使用時の状態を示す側面図。
【図２】同、折畳み状態を示す側面図。
【図３】本発明の要部である天板と目隠しパネルとの作動関係を示す側面図。
【図４】本発明に適用される折畳み構造の一例を示す説明図。
【図５】従来の折畳みテーブルの使用時の状態を示す側面図。
【図６】図５の折畳みテーブルを折畳んだ状態を示す側面図。
【符号の説明】
１  天板
２  目隠しパネル
３  脚
４  支柱
５  天板受け
７，１１，１３  支持部
９  旋回継手
１４，１５  リンク
２０  操作レバー
【図１】
0003634057.tif 000002
【図２】
0003634057.tif 000003
【図３】
0003634057.tif 000004
【図４】
0003634057.tif 000005
【図５】
0003634057.tif 000006
【図６】
0003634057.tif 000007